(57)【特許請求の範囲】
【請求項１】
それぞれに設けられたギヤが互いにかみ合うとともに左右対称の関係を保ちながらハウジング内で回動可能に設けられた肩ベルト取り付け用の一対のバックルと、上記一対のバックルの双方のギヤに同時に係合する突起部が設けられ、常時上記突起部が常時上記双方ギヤに係合する方向に付勢されたストッパーと、一部が上記ハウジングの外に突出するとともに上記ハウジングの外側から押し込むことにより上記突起部と上記双方のギヤの係合を外す方向に上記ストッパーを変位させるボタンを備え上記バックルと上記ハウジングの間に上記バックルの回動に節動感を付与するためのアジャスターが設けられ、上記バックルの回転と共に上記アジャスターも連動して回転し、上記アジャスター及び上記ハウジングのどちらか一方に突起を設け他方に窪みを設けることで、上記バックルの回動により上記突起部が上記窪みを乗り越えるように構成されたランドセル。
【発明の詳細な説明】
【技術分野】
【０００１】
本発明は、ランドセルに関するものである。
【背景技術】
【０００２】
従来のランドセルの肩ベルトを取り付けている背カンのバックルは内蔵のばねによって閉じる方向に力が加わっているために一定の力で外側に拡がり、力をかけないと内側に閉じる構造になっている。そのためなで肩の子供等は背負った時になで肩に沿ってバックルが開き、肩から肩ベルトがずれ落ちそうになる。またその状態で背負っていると肩こりの要因にもなる。また走るときは肩ベルトが肩からズレ落ちてしまわないように、胸の辺りで肩ベルトを両手で押さえる必要があるなど背負い心地が不安定で有った。また、内蔵バネが強すぎると子供の首を挟む力が働くなど背負い心地に影響が有った。
【先行技術文献】
【特許文献】
【０００３】
【特許文献１】特許第４０９９７３５号
【発明の概要】
【発明が解決しようとする課題】
【０００４】
特許文献１は左右のバックルは連動して間隔が変わるが、任意の間隔では固定されない。そのため子供肩がなで肩であったりすると肩ベルトの間隔が左右に滑って広がり肩からズレ落ちそうになる。また走るなどが影響して肩ベルトのバックルに左右に開く様な外力が加わると、肩ベルトがズレ落ちそうになるために肩ベルトを押さえながら走らなくてはならない場合もあった。この様な事から本発明は背負う子供の首の太さや肩の形やその時の着衣等、背負う子供の背負い心地の良い間隔に自分で簡単に肩ベルトの間隔を調整し固定できるランドセルを提供するものである。
【課題を解決するための手段】
【０００５】
それぞれに設けられたギヤが互いにかみ合うとともに左右対称の関係を保ちながらハウジング内で回動可能に設けられた肩ベルト取り付け用の一対のバックルと、上記一対のバックルの双方のギヤに同時に係合する突起部を有し、常時上記突起部が常時上記双方ギヤに係合する方向に付勢されたストッパーと、一部が上記ハウジングの外に突出するとともに上記ハウジングの外側から押し込みことにより上記突起部と上記双方のギヤの係合を外す方向に上記ストッパーを変位させるボタンを備えた。
【発明の効果】
【０００６】
本発明により肩ベルトの付いたバックルの左右の間隔を細かく調整固定可能になったことから、それぞれ背負う子供の体格、例えば首の太さや肩の形、また季節による着衣等によって個人それぞれに合った間隔で固定して背負えるため背負い心地が向上し通学時に安定して背負えるようになる。
【図面の簡単な説明】
【０００７】
【図１】背カン部材配置平面図
【図２】背カン部品構成部分斜視図
【図３】背カン中央断面図
【図４】アジャスター背面図
【図５】背カン中央断面図
【発明を実施するための形態】
【０００８】
図１は本発明のランドセル用背カンの各部材の配置状態を示し、図２は部分斜視図である。図１、図２においてケース１０の中央には軸１４が設置されており、さらに軸１４にはバネ７０とストッパー３０の穴３１が貫通している。またストッパー３０には軸３３が設けられ軸３３は軸受け１３に勘合している。さらに肩ベルトを取り付けるバックル２０の軸穴２１はケース１０の軸１１に回動可能に勘合している。その際にバックル２０は左右が対称の位置にありバックル２０に設けられた双方のギヤ２２は噛みあっている。更に軸１４にはボタン６０が取り付けてある。図３aは断面図であり、ケース１０にはカバー８０が勘合されている。ケース８０の穴８１からボタン６０が突出しておりボタン６０にはストッパー６１が設置されているために、カバー８０の穴８1からは設定寸法より出ないようになっている。
またバックル２０とケース１０の間にはアジャスター４０が組み込まれており、アジャスターの裏面には図４に示す突起４３が設置されており、ケース１０の窪み１６と勘合している。アジャスター４０にはこの切欠き４１にバックル２０の一部が勘合しバックル２０が軸穴２１を中心に回動する際にアジャスター４０も連動して回動する。その際にアジャスター４０はケース１０のガイドリブ１２の外周に沿って円弧を描きながら動き、ガイドリブ１２はバックル２０がケース１０とカバー８０からなるハウジング内でスムーズに回動するための機能も有している。アジャスター４０は弾性変形可能な樹脂製等で製造されており、突起４３に押し込まれる外力が加わった時に両サイドのスリット４２が設けて有るために内部にたわむ構造となっている。バックル２０の回動に連動して動く際に突起４３はケース１０の窪み１６を乗り越える必要があり、窪み１６と次の窪み１６への移動の際は突起４３がたわむことで移動可能となっている。突起４３の周囲の肉厚などの調整によりたわむ力を調整することで、バックル２０を回動させるときの節度感の調整が可能である。
【０００９】
スライダー５０はハウジング内部に埃や髪の毛が侵入防止のためにバックル２０の中央部をまたぐようにケース１０の溝１５に取り付けられカバー８０で挟むように設置されている。バックル２０は設定の角度回動するためケース１０とカバー８０で構成されるハウジングの側面にはバックル２０の回動範囲の開口部１９が必要である。しかしながらその開口部１９には埃の侵入や髪の毛が挟まる可能性があるため開口部は無い方が理想である。そのためこのスライダー５０はバックル２０をまたぐように取り付けてあるためにバックルがハウジング内を左右に回動してもそれに追従して動くことでバックル２０とハウジングの開口部１９に隙間は生じない。
図３及び図５には左右のバックル２０を任意の角度で固定する構造を示す。バックル２０にはギヤ２２が設けられているために左右が対称の関係を保ちつつ回動するようギヤの歯形状が決められている。通常ストッパー３０はバネ７０によって常にギヤ２２を下方向から上向きのギヤ方向に付勢されているために、その突起３２は左右のバックル２０のそれぞれのギヤ２２に噛み込んでおり、バックル２０の肩ベルト取り付け部２３を左右に回動させても動かない（図３）。この状態でバックル２０を強く外側に開くように回動させる力が加わった場合にはストッパー３０は受け面３４の方向に期からが発生するが、受け面３４はケース１０の壁１８でその力を受け止める構造である。またバックル２０の角度を調整する場合は、まずボタン６０を指などでハウジング内に押し込むとストッパー３０はバネ７０の付勢に反してハウジングの下方向に移動し突起３２はギヤ２２に噛み込みバックルの回動を拘束していた状態が解除されバックル２０が自由に動ける状態に変わる。（図５）。この状態で左右のバックル２０好みの角度に回動することが可能となる。この時アジャスター４０によって設定角度調整の位置が手に振動と耳に音で伝わる構成になっている。再びボタン６０を押しこむのをやめれば、再びストッパー３０がバネ７０の付勢により突起３２がギヤ２２に噛み込むことで再びバックル２０の回動を拘束する。
また上記の構造からアジャスター４０を使用しなくてもバックル２０の回動を拘束したり解放したりする機能には影響はしない。
【産業上の利用可能性】
【００１０】
カバン類の背負い用肩ベルトの取り付け装置。
【符号の説明】
【００１１】
１０・ケース、１１・軸、１２・ガイドリブ、１３・軸受、１４・軸、１５・溝、１６・窪み、１７・穴、１８・壁、１９・開口部、
２０・バックル、２１・軸穴、２２・ギヤ、２３・ベルト取り付け部、３０・ストッパー、３１・穴、３２・突起、３３・軸、３４・受け面、
４０・アジャスター、４１・切欠き、４２・スリット、４３・突起、５０・スライダー、５１・切欠き、６０・ボタン、６１・ストッパー、
７０・バネ、８０・カバー
【図１】
0006823237.tif 000002
【図２】
0006823237.tif 000003
【図３】
0006823237.tif 000004
【図４】
0006823237.tif 000005
【図５】
0006823237.tif 000006